(57)【要約】【課題】専用のトリアージタグや専用の電子ペンのようなものを用いることなく、また、トリアージタグへの直接記入とシステム入力という二重の手間を生じることのない、傷病者管理システムを提供することを目的とする。【解決手段】傷病者管理システム１は、傷病者情報を記憶する傷病者情報管理サーバ１０と、トリアージ情報を入力する入力端末装置２０と、裏面に粘着層を備えた台紙の表面に傷病者情報を印刷する出力端末装置３０と、からなる。傷病者管理システム１によれば、傷病者情報をシステム上で管理できるだけでなく、シール状の印刷物を傷病者や既存のトリアージタグに貼り付けておくことで情報の共有化ができ、直接記入の手間も省くことができる。【選択図】図１
2018194941.tif 000002
【特許請求の範囲】
【請求項１】
傷病者毎の傷病者情報を記憶する傷病者情報管理サーバと、
傷病者に関するトリアージ情報を入力する入力端末装置と、
裏面に粘着層を備えた台紙の表面に前記傷病者情報を印刷する出力端末装置と、
を有することを特徴とする傷病者管理システム。
【請求項２】
前記傷病者情報は、前記傷病者を識別するための識別情報であることを特徴とする請求項１に記載の傷病者管理システム。
【請求項３】
前記傷病者情報は、前記傷病者における前記トリアージ情報であることを特徴とする請求項１又は２に記載の傷病者管理システム。
【請求項４】
前記傷病者情報は、前記傷病者における経過時間情報であることを特徴とする請求項１から３のいずれかに記載の傷病者管理システム。
【発明の詳細な説明】
【技術分野】
【０００１】
本発明は、大規模な事故や大規模な災害の発生時、多数の傷病者の搬送を効率的に行うために使用される傷病者管理システムに関する。
【背景技術】
【０００２】
過去の教訓を基に最近では大規模な事故や大規模な災害により多数の傷病者が発生すると、限られた医療資源の下で最大の効率を得られるよう、傷病者の重症度、緊急度などによって傷病者の順位付けを行う、所謂トリアージが行われている。現在、このトリアージを行う際には、トリアージタグと呼ばれる記入式のカードが広く使用されている。
【０００３】
しかしこのトリアージタグは、手書きで記入されることから、そこに記載された情報の収集や集計に多くの時間と労力を必要とすることになり、迅速性を要求される災害現場等においては、実際の使用や普及において問題点が多い。
【０００４】
そこで、トリアージに関する情報を一元的に管理できるようにするための傷病者管理システムが特許文献１、２、３に開示されている。特許文献１のシステムは、専用の電子ペンと専用のトリアージタグとを用い、電子ペンでトリアージタグに記入した内容を、この電子ペンを介して取得し、記入内容を一元的に管理する傷病者管理システムとなっている。
【０００５】
また、特許文献２のシステムは、傷病者の治療等の優先度を区分したトリアージ区分を決定する専用の情報入力端末装置を用い、この情報入力端末装置を介して情報を取得して管理する災害救護支援システムとなっている。
【０００６】
また、特許文献３のシステムは、スマートフォンを利用して傷病者の症状レベルを判定し、このスマートフォンを介して情報を取得して管理するトリアージタグ管理システムとなっている。
【０００７】
ところで傷病者に関する情報を一元管理するこのような傷病者管理システムが成り立つためには、傷病者を特定する識別情報が、傷病者毎に特定されている必要がある。この傷病者を特定する識別情報は、特許文献１においては、トリアージタグが備えるＩＣタグ等に記憶されているトリアージタグ番号が用いられている。また、特許文献２においては、トリアージタグに貼付けられたＩＣタグに記憶されている負傷者を一意に識別するためのＩＤが用いられている。また、特許文献３においては、トリアージタグに内蔵されたＩＣタグに記憶されているタグＩＤが用いられている。
【先行技術文献】
【特許文献】
【０００８】
【特許文献１】特開２００９−２１７４４９号公報
【特許文献２】特開２００８−２７９０３２号公報
【特許文献３】特開２０１３−０５０８９４号公報
【発明の概要】
【発明が解決しようとする課題】
【０００９】
特許文献１、２、３のように、傷病者を特定する識別情報が、トリアージタグが備えるＩＣタグ等に記憶されている場合には、既に広く流通している記入式のトリアージタグを用いることができないため、専用のトリアージタグの準備、普及が必要となることから、傷病者管理システムの高額化や、システム導入への妨げになる。また、災害現場等において、このトリアージタグが足りなくなった場合や、紛失した場合にはシステムの利用が妨げられてしまうことになる。
また、特許文献１のような傷病者管理システムは、専用の電子ペンを用いるということで、システムの普及という点等から現実的には難しい。
【００１０】
また、特許文献２のような災害救護支援システムや、特許文献３のようなトリアージタグ管理システムは、情報入力端末装置やスマートフォンを介して入力された情報は、同様の情報入力端末装置等がなければその情報を参照することができない。これでは、傷病者を救護している現場において、周囲の人と瞬時の情報共有を円滑に行うこができなくなってしまう。一方で、現場における円滑な情報共有もできるように、傷病者のトリアージタグにも情報を記入することになると、情報入力端末装置等への情報入力と、トリアージタグへの記入という二重の作業が生じてしまうことになる。
そこで、本発明は、上記の課題を解決することのできる傷病者管理システムを提供することを目的とする。
【課題を解決するための手段】
【００１１】
上記課題を解決するため、本発明の傷病者管理システムは、傷病者毎の傷病者情報を記憶する傷病者情報管理サーバと、傷病者に関するトリアージ情報を入力する入力端末装置と、裏面に粘着層を備えた台紙の表面に前記傷病者情報を印刷する出力端末装置と、を有することを特徴とする。
【００１２】
本発明の傷病者管理システムによれば、傷病者情報をシステム上で管理できるだけでなく、出力端末装置からシール状の印刷物を出力することができるので、この印刷物を傷病者の体や衣服に直接、或は傷病者が所持するトリアージタグ等に直接貼り付けておくことで、現場において傷病者情報の共有化を図ることができる。また、傷病者情報が変更されても、その度に印刷物を貼り付けておくことで最新の情報を共有化することができる。また、既存の記入式のトリアージタグも併用して使用するような場合でも、トリアージタグに直接記入する必要はなく、トリアージタグに印刷物を貼り付けておけばよいのでシステム入力と直接記入という二重の手間を省くことができる。
なお、入力端末装置と出力端末装置とは別々の装置でなくても、一体の装置で構成されていても構わない。
【００１３】
また、本発明の傷病者管理システムは、前記傷病者情報が、前記傷病者を識別するための識別情報であることを特徴とする。本発明の傷病者管理システムによれば、例えば、識別情報が記憶されたＩＣタグが備わっているような専用のトリアージタグを用いなくても、既存のトリアージタグに印刷物を貼付けて傷病者管理システムを実現することができる。また、トリアージタグがなくても、傷病者管理システムにおいて傷病者の管理を行うことができる。
【００１４】
また、本発明の傷病者管理システムは、前記傷病者情報が、前記傷病者における前記トリアージ情報であることを特徴とする。本発明の傷病者管理システムによれば、入力端末装置等を所持していない者でも印刷物を見ることで、傷病者のトリアージ情報を知ることができるので、情報の共有化を図ることができる。また、この印刷物により、情報共有化の目的等でトリアージタグへ直接記入するような手間も省くことができる。
【００１５】
また、本発明の傷病者管理システムは、前記傷病者情報が、前記傷病者における経過時間情報であることを特徴とする。本発明の傷病者管理システムによれば、例えば、傷病者が負傷した初期段階からの経過時間を知ることができるので、災害場所や搬送先において、傷病者に対する対応を行う上で非常に有益となる。
【図面の簡単な説明】
【００１６】
【図１】実施形態における傷病者管理システムの構成を示す概念図である。
【図２】実施形態における出力端末装置によるシール状の印刷物の具体例である。
【図３】実施形態における入力端末装置のハードウェア構成を示すブロック図である。
【図４】実施形態における入力端末装置の機能構成を示すブロック図である。
【図５】実施形態における入力端末装置の動作を示すフローチャートである。
【発明を実施するための形態】
【００１７】
以下、本発明の具体例について図面を用いて詳細に説明する。但し、以下に示す実施形態は、本発明の技術的思想を具体化するための例示であって、本発明をこの実施形態に特定することを意図するものではなく、本発明は、特許請求の範囲に含まれるその他の実施形態にも等しく適応し得るものである。
【００１８】
まず、図１を参照して本実施形態の傷病者管理システム１の基本的な構成を説明する。図１は、傷病者管理システム１の構成を示す概念図である。図１に示すように、本実施形態の傷病者管理システム１は、傷病者情報管理サーバ１０と、入力端末装置２０と、出力端末装置３０と、がネットワークＮを介して通信可能に接続されて構成されている。
【００１９】
傷病者情報管理サーバ１０は、傷病者毎の傷病者情報を記憶するものであり、搬送拠点や病院等、災害発生時に指示拠点となるような場所に設置されるコンピュータや、防災対策が施されているようなデータセンターのような場所に常時設置されるコンピュータ等からなる。なお、傷病者管理システム１は、災害時の指示拠点等に、傷病者情報管理サーバ１０に記憶されている傷病者情報にアクセスできる出力端末装置のようなものが別途備わっていても構わない。このような出力端末装置があれば、指示拠点等に傷病者情報管理サーバ１０が直接設置されていなくても、その情報を表示や印刷によって参照して指示を行うことができるためである。
【００２０】
この傷病者情報管理サーバ１０は、傷病者に関する傷病者情報が記憶される記憶部や、キーボード等からなる入力部、ディスプレイからなる表示出力部、プリンタ等からなら印刷出力部、を備えている。そして、傷病者情報管理サーバ１０の記憶部に記憶される傷病者情報は、入力端末装置２０を介して入力された情報や、傷病者情報管理サーバ１０が備える入力部を介して入力された情報により、その情報が更新、蓄積されていく。
【００２１】
また、この傷病者情報は、傷病者に関連する様々な情報が含まれることになり、後述するトリアージ情報や、傷病者を特定する情報である識別情報、傷病者の傷病時からの経過時間の目安となる経過時間情報等の他に、傷病者のいる救護所の情報、傷病者の搬送先の医療機関の情報等、災害発生時の傷病者の搬送において有用となる様々な情報を含めることができる。
【００２２】
入力端末装置２０は、災害発生時に発生現場にてトリアージを実施する実施者が所持する携帯可能な装置である。具体的には、本実施形態の傷病者管理システム１を利用するためのアプリケーションプログラムがインストールされたスマートフォンのような汎用機器でもよく、また例えば、ハンディターミナルと呼ばれるような業務用携帯端末のように傷病者管理システム１を利用するための専用機器からなるものでもよい。本実施形態においては、スマートフォンからなる入力端末装置２０を用いた例となっており、この入力端末装置２０を介して傷病者のトリアージ情報が入力される。なお、入力端末装置２０の詳細については後述する。
【００２３】
出力端末装置３０は、入力端末装置２０からの有線或は無線による印刷指示に基づいて印刷物を出力する携帯可能な小型の印刷装置である。具体的には、モバイルプリンタのようなものである。なお、本実施形態においては、入力端末装置２０と出力端末装置３０とは、各々別の装置として説明しているが、入力端末装置２０と出力端末装置３０とが一体となった装置で実現することもできる。
【００２４】
また、この出力端末装置３０は、裏面に粘着層を備えた台紙に印刷を行う構成となっており、具体的にはこの台紙として、裏面に粘着層が形成されたシール状のロール紙のようなものが用いられる。したがって、印刷内容を表面に印刷し、この印刷物の裏面側を好きな場所に貼り付けることで、表面の印刷内容が誰からも視認できるようになっている。
【００２５】
図２は、本実施形態における出力端末装置３０を用いたシール状の印刷物の具体例である。印刷内容の詳細については後述するが、出力端末装置３０を介して図２（Ａ）〜（Ｅ）に示すようなシール状の印刷物が印刷出力される。
【００２６】
図２（Ａ）は、傷病者を特定するために傷病者毎に付与される識別情報３１と、識別情報３１が傷病者に発行された時からの経過時間を示す経過時間情報３２と、印刷出力を実行した時間である発行時間情報３３と、からなる印刷物である。なお、識別情報３１は、傷病者管理システム１において傷病者を特定するために、傷病者毎に付与されている情報であり、具体的には、図２に示すように、患者番号のように数字からなる数字コードや、この情報をバーコード化したものからなる。
【００２７】
図２（Ｂ）は、識別情報３１、経過時間情報３２、発行時間情報３３の他にＳＴＡＲＴ法によるトリアージの評価結果であるトリアージ情報３４、その他に搬送機関や搬送先の搬送情報３５等からなる印刷物である。図２（Ｃ）は、識別情報３１、経過時間情報３２、発行時間情報３３の他にＰＡＴ法によるトリアージの評価結果であるトリアージ情報３４、搬送情報３５等からなる印刷物である。図２（Ｄ）は、現場から病院等の医療機関へ搬送する際に使用する印刷物であり、識別情報３１、経過時間情報３２、発行時間情報３３、搬送情報３５の他に、各担当者の記入欄が印刷された印刷物である。また、図２（Ｅ）は、識別情報３１のみが印刷された印刷物である。
【００２８】
このように、本実施形態の傷病者管理システム１は、傷病者毎の傷病者情報を記憶する傷病者情報管理サーバ１０と、傷病者に関するトリアージ情報を入力する入力端末装置２０と、裏面に粘着層を備えた台紙の表面に傷病者情報を印刷する出力端末装置３０と、を有する構成となっており、出力端末装置３０を介して、シール状の印刷物を印刷出力することができる。
【００２９】
例えば図１における現場Ｌ１は、既存のトリアージタグＴが十分に準備できている災害現場や救護所となっている。この時、傷病者Ｐ１、Ｐ２に既存のトリアージタグＴがそれぞれ付与されている。通常であれば、このトリアージタグＴにトリアージ情報等を直接記入することになるが、本実施形態においては入力端末装置２０を介して入力したトリアージ情報等を出力端末装置３０により印刷出力し、その印刷物をトリアージタグに直接貼り付けておくことができる。したがって、傷病者管理システム１へのシステム入力とともにトリアージタグへの直接記入という二重の手間を省くことができる。
【００３０】
また、出力端末装置３０から印刷物を複数枚印刷すれば、トリアージタグＴだけでなく、傷病者Ｐ１、Ｐ２の体や衣服等にも直接貼り付けておくことができる。したがって、仮にトリアージタグＴが紛失しても、現場Ｌ１においては傷病者Ｐ１、Ｐ２に貼付けられている印刷物があるので、傷病者のトリアージ情報を共有することができる。
【００３１】
また、例えば図１における現場Ｌ２は、既存のトリアージタグＴがない、或は不足している災害現場や救護所となっている。このとき、本実施形態においては入力端末装置２０を介して入力したトリアージ情報等を出力端末装置３０により印刷出力し、その印刷物を例えば、傷病者Ｐ３〜５の体や衣服に直接貼り付けておくことができる。したがって、現場Ｌ２においては、トリアージタグがなくとも、傷病者管理システム１へのシステム入力とともに傷病者のトリアージ情報を現場において共有することができる。
【００３２】
以上のような傷病者管理システム１において用いる入力端末装置２０の詳細を説明する。図３は、入力端末装置２０のハードウェア構成を示すブロック図である。入力端末装置２０は、図３に示すように、制御部２１、記憶部２２、表示部２３、入力部２４、カメラ部２５、バーコード読込部２６、通信部２７を備えている。
【００３３】
制御部２１はＣＰＵ等の演算装置からなり、プログラムを実行し、各種の処理を実行する。記憶部２２は、ＲＡＭ、ＲＯＭ等の記憶装置からなり、制御部２１で実行されるプログラムを記憶したり、プログラムによる処理結果や、取得したトリアージ情報等の傷病者情報を記憶したりしておく。表示部２３は、ＬＣＤ等の表示装置からなり、傷病者のトリアージを行う際の評価項目や評価結果等を表示する。
【００３４】
入力部２４は、代表的なものとして表示部２３に一体的に設けられるタッチパネルのような入力装置であるが、その他にテンキー等ボタン式の入力装置等でも構わない。表示部２３に表示される内容に対するこの入力部２４からの入力に基づいて制御部２１にて、対象となる傷病者のトリアージの判定が行われる。
カメラ部２５は、様々な画像データを取得するものであり、例えば対象となる傷病者が負っている傷の画像を取得する。
【００３５】
バーコード読取部２６は、傷病者の特定のための識別情報がバーコード化されている場合に、このバーコードを読み取るバーコードリーダ装置である。このバーコード読取部２６は、光源と受光素子とが一体となった専用装置を用いて実現することもできるが、例えば、カメラ部２５を受光素子として用いて、スマートフォンからなる入力端末装置２０に赤外線光源部を取り付けてバーコード読取部２６を実現することもできる。このようにスマートフォンに光源部を取り付けてバーコードの情報を読み取るものとして、例えば株式会社アスタリスク社のＡｓＲｅａｄｅｒ（登録商標）が知られている。また、単にカメラ部２５から取得するバーコードの画像から情報を読み取ることも可能であり、バーコード読取部２６をカメラ部２５で実現することもできる。
【００３６】
通信部２７は、インターネットやＬＡＮ等を介して携帯端末等の他の機器と通信を行うものである。そして、入力端末装置２０は、この通信部２７を介して、ネットワークＮを介して、傷病者情報管理サーバ１０と接続し、また出力端末装置３０とも接続することになる。
【００３７】
このようなハードウェアからなる入力端末装置２０は、図４に示すような、傷病者特定手段２１０、トリアージ情報入力手段２２０、傷病者情報取得手段２３０、印刷情報選択指示手段２４０、を備えている。なお、図４は、入力端末装置２０の機能構成を示すブロック図である。
【００３８】
傷病者特定手段２１０は、主に制御部２１、記憶部２２、入力部２４、バーコード読取部２６、通信部２７によって構成されている。傷病者特定手段２１０は、出力端末装置３から出力された印刷物の識別情報３１を基にして、該当する傷病者を特定する。例えば、図２の印刷物の例であれば、傷病者特定手段２１０は、まず印刷物に印刷されたバーコードを、バーコード読取部２６を介して読み取ることで数字コードの識別情報を特定できる。そして、傷病者情報管理サーバ１０に対して該バーコードに対応付けられている数字コードについて問合せを行い、傷病者情報からこの数字コードに対応する傷病者を特定する。なお、傷病者特定手段２１０による傷病者の特定は、バーコードを読み取って特定する以外に、数字コードを入力部２４から直接入力して行うこともできる。
【００３９】
トリアージ情報入力手段２２０は、主に制御部２１、記憶部２２、表示部２３、入力部２４、通信部２７によって構成されている。トリアージ情報入力手段２２０は、表示部２３に表示されたトリアージの評価項目に対して入力部２４を介して入力を行う。そして、入力部２４を介して入力された情報は、傷病者情報管理サーバ１０へと送られ、傷病者情報管理サーバ１０において傷病者情報の追加或は情報の更新が行われて記憶される。
【００４０】
トリアージの評価項目としては、特許文献１、２、３においても行われているが、ＳＴＡＲＴ法、ＰＡＴ法、またバイタルサインを用いることができ、また独自の評価項目を表示、入力できるようにすることもできる。また、カメラ部２５を用いて、傷病者が負っている傷の画像等を入力できるようにしてもよい。
【００４１】
また、単なる情報の入力だけでなく、入力による評価結果も表示部２３に表示することで、入力端末装置２０を所持するトリアージ実施者もその評価結果をその場において知ることができる。
【００４２】
なお、入力部２４からの入力情報に基づくトリアージの評価結果は、入力端末装置２０においてプログラムに基づいて判定してもよいし、一度傷病者情報管理サーバ１０に入力情報を送信し、傷病者情報管理サーバ１０にてトリアージの判定を行い、その結果を入力端末装置２０に送信することでもよい。
【００４３】
また、ここで述べたトリアージの評価結果とは、トリアージ実施者の入力に基づいて入力端末装置２０や傷病者情報管理サーバ１０側で判定を行った評価結果、というような厳密なものだけでなく、単にトリアージ実施者が入力部２４を介してトリアージ区分を直接入力したものを評価結果とすることも含んでいる。
【００４４】
傷病者情報取得手段２３０は、主に制御部２１、記憶部２２、通信部２７によって構成されている。傷病者情報取得手段２３０は、通信部２７を介して傷病者管理サーバ１０に記憶されている傷病者に関するトリアージ情報や識別情報等の傷病者情報を取得する。この傷病者情報取得手段２３０は、より具体的には、新規識別情報取得手段２３１、トリアージ情報取得手段２３２、経過時間情報取得手段２３３からなる。
【００４５】
新規識別情報取得手段２３１は、災害現場等において発生している傷病者について、傷病者管理システム１で管理できるようにするために、個々の傷病者を特定するのに必要となる識別情報を新規に取得するためのものである。この識別情報としては数字からなるコードや、数字と文字を組み合わせたコード等、傷病者を特定できるよう重複していないものであればよい。本実施形態においては、識別情報は、５桁の数字コードと、このコードをバーコード化したものからなる。なお、この識別情報を印刷出力したものが、図２に示す識別情報３１である。
【００４６】
そして、新規識別情報取得手段２３１により、まだ傷病者と対応付けされていない新規の識別情報が取得されることで、取得された識別情報と傷病者とを対応付けることができるようになる。つまり、まだ識別情報が付与されていない傷病者に対して新規の識別情報を発行して対応付けることで、その後は傷病者特定手段２１０によりバーコード化されている識別情報を読み込めば、傷病者情報管理サーバ１０から対応する傷病者を特定することができる。
【００４７】
なお、傷病者とまだ対応付けされていない新規識別情報については、傷病者情報管理サーバ１０で管理、発行してもよく、また入力端末装置２０で管理、発行するようにしてもよい。
【００４８】
ところで、特許文献１、２、３においては、この傷病者を特定する識別情報がＩＣタグのような形で最初からトリアージタグに取り付けられており、このトリアージタグが傷病者に取り付けられることで、識別情報と傷病者とが対応付けられることになる。したがって、ＩＣタグが備わった専用のトリアージタグが必要となる。また、この専用のトリアージタグが紛失してしまうと、傷病者を特定できなくなってしまう。
【００４９】
一方、本実施形態においては、傷病者と対応付けられた識別情報が、出力端末装置３０を介してシール状の印刷物として出力できるため、その印刷物を直接傷病者に貼り付けたり、または傷病者に付与されたトリアージタグに直接貼り付けたりすることができる。したがって、既存のトリアージタグも利用することができる。また、トリアージタグがなくても、印刷物から傷病者を特定することができる。
【００５０】
トリアージ情報取得手段２３２は、傷病者に貼り付けられている識別情報を基にして傷病者情報管理サーバ１０へアクセスし、該当する傷病者の最新のトリアージ情報を傷病者情報管理サーバ１０から取得するためのものである。
【００５１】
トリアージ情報取得手段２３２により、入力端末装置２０を所持する者は、目の前の傷病者のトリアージ情報を取得することができる。なお、取得する情報は、トリアージ情報に限らず、傷病者情報管理サーバ１０の傷病者情報に記憶されている内容も当然ながら含まれる。
【００５２】
ところで、特許文献１においては、傷病者のトリアージ情報は、専用のトリアージタグに専用ペンで記入されているので、専用のトリアージタグを直接見ることで知ることができるが、そもそもシステムを利用するには専用ペンが必要となってしまう。また、特許文献２、３においては、傷病者のトリアージ情報は、入力端末を介して参照することができるが、入力端末を所持していない者はトリアージ情報を見ることができない。
【００５３】
一方、本実施形態においては、傷病者のトリアージ情報が、出力端末装置３０を介してシール状の印刷物として出力できるため、その印刷物を直接傷病者に貼り付けたり、または傷病者に付与されたトリアージタグに直接貼り付けたりすることができるので、誰でもトリアージ情報を見ることができる。
【００５４】
経過時間情報取得手段２３３は、傷病者に貼り付けられている識別情報を基にして傷病者情報管理サーバ１０へアクセスし、該当する傷病者の識別情報が発行されてから、現時点までに経過した時間の情報を取得するためのものである。
【００５５】
経過情報取得手段２３３により、入力端末装置２０を所持する者は、目の前の傷病者に対して識別情報が発行されてから今までに経過した時間を知ることができる。つまり、この情報は、傷病者が負傷した初期段階から現段階までに経過した時間を知る目安となる。このような経過時間情報は、災害場所や搬送先において、傷病者に対する対応を行う上で非常に参考になる。
【００５６】
なお、この経過時間情報はあくまでも目安の時間情報である。したがって、時間の始点について、傷病者の識別情報が発行された時点として上記説明を行ったが、例えば、トリアージの一次評価として行われるＳＴＡＲＴ法によるトリアージ評価を開始した時点であっても構わない。また、例えば、地震のように災害発生時間がわかるような場合には、災害発生時間を始点としてもよい。また、経過時間情報を取得するための時間の計測は、入力端末装置２０において行う構成でも、傷病者情報邦管理サーバ１０で行う構成でも構わない。
【００５７】
また、本実施形態においては、傷病者の経過時間情報が、出力端末装置３０を介してシール状の印刷物として出力できるため、その印刷物を直接傷病者に貼り付けたり、または傷病者に付与されたトリアージタグに直接貼り付けたりでき、周囲との情報の共有化を図ることも容易である。
【００５８】
印刷情報選択指示手段２４０は、主に制御部２１、記憶部２２、表示部２３、入力部２４、通信部２７によって構成されている。印刷情報選択指示手段２４０は、傷病者情報取得手段２３０を介して取得した情報から、印刷物として印刷したい内容について入力部２４を介して選択し、通信部２７を介して出力端末装置３０への印刷指示を行う。印刷情報選択指示手段２４０からの印刷指示による出力端末装置３０での印刷出力の結果が、図２に示すようなシール状の印刷物となる。
【００５９】
入力端末装置２０は、以上のような機能により実現されている。次に図５は、入力端末装置２０における具体的な動作を示すフローチャートである。災害発生現場等において、入力端末装置２０と出力端末装置３０を所持するトリアージ実施者によって、入力端末装置２０が起動されることにより動作が開始される。
【００６０】
まず、入力端末装置２０は、識別情報であるバーコードが傷病者にあるか否かを判定する（Ｓ２０１）。この処理は、具体的には、トリアージ実施者が傷病者を直接確認して、バーコードの有無について入力部２４を介して入力することにより判定処理される。
【００６１】
傷病者にバーコードがなければ（Ｓ２０１においてＮＯ）、傷病者にはまだこの傷病者を特定する識別情報が付与されていないということで、トリアージ実施者の操作に基づき入力端末装置２０は、新規識別情報取得手段２３１により識別情報の取得を行う（Ｓ２０２）。なお、この識別情報を取得することにより、この傷病者と識別情報とが対応付けられることになり、傷病者管理システム１でこの傷病者を管理できるようになる。
【００６２】
傷病者の識別情報を取得すると、トリアージ実施者の操作に基づき入力端末装置２０は、印刷情報選択指示手段２４０によりこの識別情報の印刷指示を出力端末装置３０に行って（Ｓ２１１）動作を終了する。入力端末装置２０から識別情報の印刷指示を受け取った出力端末装置３０は、図２（Ａ）や、図２（Ｅ）のようなシール状の印刷物を出力することになる。そして、出力端末装置３０から印刷されたシール状の印刷物を、トリアージ実施者（或は周辺にいる人間）が傷病者に貼り付けることで、この識別情報を誰でも確認できるようになる。
【００６３】
そして、この識別情報と対応付けられた傷病者の情報を傷病者情報管理サーバ１０から取得できるようになる。つまり、傷病者にバーコードがあれば（Ｓ２０１においてＹＥＳ）、トリアージ実施者の操作に基づき入力端末装置２０は、傷病者特定手段２１０によりバーコード情報を読み込み（Ｓ２０３）、傷病者管理サーバ１０に記憶されている該バーコードに対応する数字コードの傷病者を特定する（Ｓ２０４）。
【００６４】
傷病者が特定されると次に入力端末装置２０は、特定された傷病者に関するトリアージ情報の履歴が傷病者管理サーバ１０の傷病者情報に記憶されているか否かの判定を行う（Ｓ２０５）。
【００６５】
履歴なしということになると（Ｓ２０５においてＮＯ）、まだこの傷病者のトリアージが実施されていないということになるので、入力端末装置２０は、トリアージ情報入力手段２２０によって評価項目を表示部２３に表示し、入力部２４を介してトリアージ実施者に入力を行わせる（Ｓ２０６）。
【００６６】
なお、一般的に最初に行われるトリアージ評価は、一次評価ということで迅速性が要求さることからＳＴＡＲＴ法で行わる。したがって、本実施形態においてもＳ２０６においては、ＳＴＡＲＴ法によりトリアージ評価を行っており、ＳＴＡＲＴ法に基づく評価項目が表示部２３に表示されることになる。
【００６７】
そして、入力内容やトリアージの評価結果については、傷病者情報管理サーバ１０の傷病者情報に記憶されることになる。なお、入力内容やトリアージの評価結果は、入力端末装置２０の記憶部２２にも一定期間記憶しておくことが好ましい。災害現場等では、傷病者情報管理サーバ１０と入力端末装置２０とがネットワークＮを介して常時つながっている状態を維持することが難しい場合もある。したがって、入力端末装置２０の記憶部２２にも一時的に記憶しておくことで、傷病者情報管理サーバ１０と不通状態であっても、入力端末装置２０は、その後の動作を行うことができるようになる。
【００６８】
また、入力端末装置２０は、入力内容がＳＴＡＲＴ法の評価項目に限られるものではなく、例えば、傷病者の性別や年齢等、既存のトリアージタグにおける入力項目に該当する内容も入力できるようになっている。
【００６９】
Ｓ２０６においてトリアージ評価の入力が行われると、入力端末装置２０は、印刷実施を出力端末装置３０に指示するか否かの判定を行う（Ｓ２１０）。この処理は、具体的には、トリアージ実施者が表示部２３に表示された印刷ボタンを入力部２４であるタッチパネルを介して押下したか否かにより判定処理される。
【００７０】
印刷実行を指示しないと判定されると（Ｓ２１０においてＮＯ）、入力端末装置２０は、動作を終了し、印刷実施を指示すると判定されると（Ｓ２１０においてＹＥＳ）、入力端末装置２０は、印刷情報選択指示手段２４０によりＳＴＡＲＴ法に該当するトリアージ情報の印刷指示を出力端末装置３０に行って（Ｓ２１１）動作を終了する。入力端末装置２０から印刷指示を受け取った出力端末装置３０は、図２（Ｂ）のようなシール状の印刷物を出力することになる。そして、出力端末装置３０から印刷されたシール状の印刷物を、トリアージ実施者（或は周辺にいる人間）が傷病者に貼り付けることで、このトリアージ情報や識別情報を誰でも確認、認識することができるようになる。
【００７１】
Ｓ２０５において履歴ありということになると（Ｓ２０５においてＹＥＳ）、この傷病者のトリアージが既に実施されていることになるので、入力端末装置２０は、トリアージ情報取得手段２３２によって、傷病者情報管理サーバ１０へアクセスし、該当する傷病者の最新のトリアージ情報を取得し、表示部２３にその最新履歴の内容を表示する（Ｓ２０７）。
【００７２】
傷病者の最新のトリアージ情報を表示すると、次に入力端末装置２０は、ＰＡＴ法によるトリアージ評価を実施するか否かの判定を行う（Ｓ２０８）。この処理は、具体的にはトリアージ実施者が、表示部２３に表示されたＰＡＴ法のコマンド表示を選択したか否かにより判定処理される。そして、Ｓ２０８においてトリアージ評価の実施が判定されると（Ｓ２０８においてＹＥＳ）、入力端末装置２０は、ＰＡＴ法に関する評価項目を表示部２３に表示し、入力部２４を介してトリアージ実施者に入力を行わせる（Ｓ２０９）。
【００７３】
なお、トリアージ評価は、一度だけ実施すればよいというものではなく、何度も行うことを想定し、推奨している。したがって、トリアージ実施者は、災害現場等において、表示部２３に表示された最新情報や、傷病者の現状等を参考にしながら、トリアージ評価の実施を判断することになる。また、トリアージ評価を何度も実施した場合でも、出力端末装置３０によりシール状の印刷物として印刷出力できることから、判断毎に印刷出力を行い、例えば過去の判断結果の横に逐次貼り付けていくこともできる。
【００７４】
また、この入力内容やトリアージの評価結果については、傷病者情報管理サーバ１０の傷病者情報に記憶され、また入力端末装置２０の記憶部２２にも記憶されることになる。
【００７５】
Ｓ２０９においてＰＡＴ法によるトリアージ評価の入力が行われると、入力端末装置２０は、新たに行われたトリアージ評価の内容に基づいて、印刷実施を出力端末装置３０に指示するか否かの判定を行う（Ｓ２１０）。また、Ｓ２０８においてトリアージ評価が実施されなければ（Ｓ２０８においてＮＯ）、入力端末装置２０は、Ｓ２０７において取得したトリアージ情報に基づいて印刷実行を出力端末装置３０に指示するか否かの判定を行う（Ｓ２１０）。
【００７６】
印刷実行を指示しないと判定されると（Ｓ２１０においてＮＯ）、入力端末装置２０は、動作を終了し、印刷実施を指示すると判定されると（Ｓ２１０においてＹＥＳ）、入力端末装置２０は、印刷情報選択指示手段２４０により印刷指示を出力端末装置３０に行って（Ｓ２１１）動作を終了する。入力端末装置２０からの印刷指示を受け取った出力端末装置３０は、図２（Ｃ）のようなシール状の印刷物を出力することになる。
【００７７】
なお、本実施形態においては、Ｓ２０５において履歴がなければＳ２０６のＳＴＡＲＴ法によるトリアージ評価が行われ、Ｓ２０５において履歴があればＳ２０８のＰＡＴ法によるトリアージ評価が行われるように、履歴の有無によって行えるトリアージ評価が限定されてしまう例となっているが、これは説明を簡略するためである。上述したようにトリアージ評価は、一度だけ実施すればよいというものではなく、何度も行うことを想定し、推奨されている。従って、現場の状況によってはＳＴＡＲＴ法によるトリアージ評価が何度も行われたり、最初からＰＡＴ法によるトリアージ評価が行われたりすることも十分あり得ることであり、実際の入力端末装置２０においては、そのような動作が実現されることになる。
【００７８】
以上のように、本実施形態の傷病者管理システムは、傷病者毎の傷病者情報を記憶する傷病者情報管理サーバ１０と、傷病者に関するトリアージ情報を入力する入力端末装置２０と、裏面に粘着層を備えた台紙の表面に傷病者情報を印刷する出力端末装置３０と、により構成されている。
【００７９】
従って、傷病者管理システム１は、出力端末装置３０からシール状の印刷物を印刷出力することができるため、この印刷物を傷病者の体や衣服に直接、或は傷病者が所持するトリアージタグ等に直接貼り付けることができる。またシール状の印刷物として貼り付けることができるため、識別情報を印刷しておくことで、既存のトリアージタグを有効に利用することもでき、またトリアージタグがなくてもシステム上での傷病者管理を行うことができる。またシール状の印刷物であることから、例えば、リストバンドのようなものに識別情報が印刷された印刷物を貼り付けて、このリストバンドを傷病者に巻き付けておくこともできる。とくに傷病者管理システム１を利用する上で、識別情報は非常に重要となるので、リストバンドのようなものに貼り付けておけば紛失するおそれも非常に少なくなる。
【００８０】
また、トリアージ情報を印刷して貼り付けておくことで、入力端末装置等を所持していない者でも傷病者のトリアージ情報を知ることができ、情報の共有化を図ることができる。また、情報共有化の目的等でトリアージタグへ直接記入するような手間を省くことができる。また、経過時間情報を印刷して貼り付けておくことで、例えば、傷病者が負傷した初期段階からの経過時間を知ることができるので、災害場所や搬送先において、傷病者に対する対応を行う上で非常に有益となる。
【００８１】
なお、本実施形態においては、図２に示すように傷病者の識別情報をバーコード化した例を示し、このバーコードを読み込むことで数字コードが特定され、この数字コードに対応する傷病者を特定できる例を示した。つまり、数字コードの情報だけがバーコード化されている例を示したが、バーコードに識別情報である数字コードの他に、トリアージ情報等の他の傷病者情報も含めるようにしてもよい。バーコードに他の情報も含めておくことで、例えば、入力端末装置２０が傷病者情報管理サーバ１０にアクセスでいないような状況になった場合でも、入力端末装置２０はバーコードを読み込むことでそのバーコードに情報化されている傷病者情報を得ることができる。
【００８２】
また、バーコードに傷病者情報も含めるような場合には、その情報が変更される毎にバーコードも変わることになるので、間違って古い情報が含まれるバーコードを読み込まないよう、古い印刷物は廃棄する或は古い印刷物の上に印刷物を貼り付ける等の運用を行うことが好ましい。また、このようにバーコードに識別情報以外の情報も含める場合には、図２に示したバーコードのような一次元コードでは情報量が不足することもあるので、その場合ＱＲコード（登録商標）のような二次元コードを用いることもできる。また、一次元コードや二次元コードを併用して、それぞれに含まれる情報を分けてもよい。
【符号の説明】
【００８３】
１…傷病者管理システム
１０…傷病者情報管理サーバ
２０…入力端末装置
２１…制御部
２２…記憶部
２３…表示部
２４…入力部
２５…カメラ部
２６…バーコード読取部
２７…通信部
３０…出力端末装置
２１０…傷病者特定手段
２２０…トリアージ情報入力手段
２３０…傷病者情報取得手段
２３１…新規識別情報取得手段
２３２…トリアージ情報取得手段
２３３…経過時間情報取得手段
２４０…印刷情報選択指示手段
【図１】
2018194941.tif 000003
【図２】
2018194941.tif 000004
【図３】
2018194941.tif 000005
【図４】
2018194941.tif 000006
【図５】
2018194941.tif 000007